(57)【要約】【課題】複数種類のアラーム情報を使用者が特定できるように報知する。【解決手段】流路を流通する流体の流量を計測する計測ユニット３と、計測ユニット３に設けられた操作部４ｂと、計測ユニット３に設けられた表示部４ａと、計測ユニット３によって計測された流量に関する流量情報を表示部４ａに表示させる表示制御部３１２と、所定のアラーム要件を満たしているか否かを判定する判定部３１１と、を備え、表示制御部３１２は、判定部３１１によっていずれかのアラーム条件を満たしていると判定された場合に、該当するアラームの内容に対応付けられたアラームコードを表示部４ａのディスプレイ４１に表示させ、表示部４ａのアラーム表示灯４４を点灯させる。【選択図】図７
2009115806.tif 000002
【特許請求の範囲】
【請求項１】
流路を流通する流体の流量を計測する計測ユニットと、
前記計測ユニットに設けられた操作部と、
前記計測ユニットに設けられた表示部と、
前記計測ユニットによって計測された前記流量に関する流量情報を前記表示部に表示させる表示制御部と、
アラームの内容ごとに設けられた所定のアラーム要件を満たしているか否かを判定する判定部と、を備え、
前記表示制御部は、前記判定部によって前記アラーム要件を満たしていると判定された場合に、該当するアラームの内容に対応するアラーム情報を前記表示部に表示させることを特徴とする流量計測装置。
【請求項２】
前記表示制御部は、前記判定部によって前記アラーム要件を満たしていると判定された場合に、前記流量情報と前記アラーム情報とを前記表示部に交互に表示させることを特徴とする請求項１記載の流量計測装置。
【請求項３】
前記表示制御部は、前記流量情報と前記アラーム情報とを前記表示部に交互に表示させている際に、前記操作部から表示切り替え指示が入力された場合に、前記表示切り替え指示に従って前記流量情報の表示と前記アラーム情報の表示とを切り替えることを特徴とする請求項２記載の流量計測装置。
【請求項４】
前記表示制御部は、前記アラーム情報を前記表示部に表示させる際に、前記表示部に設けられたアラーム点灯部を点灯させることを特徴とする請求項１〜３のいずれか１項に記載の流量計測装置。
【請求項５】
前記アラーム情報は、アラームの内容を一意に特定する識別コードであることを特徴とする請求項１〜４のいずれか１項に記載の流量計測装置。
【請求項６】
前記判定部によって前記アラーム要件を満たしていると判定された場合に、前記アラーム情報を外部装置に送信する送信部をさらに備えることを特徴とする請求項１〜５のいずれか１項に記載の流量計測装置。
【発明の詳細な説明】
【技術分野】
【０００１】
本発明は、計測技術に関し、例えば流量計測装置に関する。
【背景技術】
【０００２】
下記の特許文献１には、配管等の流路を流れるガスの流速や流量等を測定するメータ装置が開示されている。このメータ装置では、累積使用時間が予め設定した許容値を超えた場合には、ＬＥＤを点灯させてアラームを出力することで使用者にメンテナンスを促している。
【特許文献１】特開２００８−２５６５１３号公報
【発明の開示】
【発明が解決しようとする課題】
【０００３】
ところで、上述した特許文献１では、アラームの内容が一種類のみであるため、単にＬＥＤを点灯させてアラームを出力するだけでも使用者はアラームの内容を特定することができる。ところが、メータ装置に限らず、流体の流量を計測する計測装置では、使用者に対して報知するアラームの内容が複数存在する。したがって、上述した特許文献１のように、単にＬＥＤを点灯させてアラームを出力するだけでは、どのような内容のアラームであるのかを使用者に特定させることができない。
【０００４】
本発明は、上述した従来技術による問題点を解消するためになされたものであり、複数種類のアラーム情報を使用者が特定できるように報知することができる流量計測装置を提供することを目的とする。
【課題を解決するための手段】
【０００５】
本発明に係る流量計測装置は、流路を流通する流体の流量を計測する計測ユニットと、前記計測ユニットに設けられた操作部と、前記計測ユニットに設けられた表示部と、前記計測ユニットによって計測された前記流量に関する流量情報を前記表示部に表示させる表示制御部と、アラームの内容ごとに設けられた所定のアラーム要件を満たしているか否かを判定する判定部と、を備え、前記表示制御部は、前記判定部によって前記アラーム要件を満たしていると判定された場合に、該当するアラームの内容に対応するアラーム情報を前記表示部に表示させる。
【０００６】
かかる構成を採用することで、例えば、異常現象が発生した場合には、発生した異常現象を特定することができるアラーム情報（例えば、識別コード、識別名称、識別画像等）を表示部に表示させることが可能となる。
【０００７】
上記流量計測装置において、上記表示制御部は、前記判定部によって前記アラーム要件を満たしていると判定された場合に、前記流量情報と前記アラーム情報とを前記表示部に交互に表示させることができる。
【０００８】
これにより、例えば、異常現象が発生したときには、計測された流量情報の表示に加えて、上記アラーム情報を表示させることができる。また、交互に表示させることで、例えば、異常現象が発生したことを一目で認識させることが可能となる。
【０００９】
上記流量計測装置において、上記表示制御部は、前記流量情報と前記アラーム情報とを前記表示部に交互に表示させている際に、前記操作部から表示切り替え指示が入力された場合に、前記表示切り替え指示に従って前記流量情報の表示と前記アラーム情報の表示とを切り替えることができる。
【００１０】
これにより、表示切り替え指示を入力して表示を切り替えさせることができるため、使用者が所望する情報を選択して確認することが可能となる。
【００１１】
上記流量計測装置において、上記表示制御部は、前記アラーム情報を前記表示部に表示させる際に、前記表示部に設けられたアラーム点灯部を点灯させることができる。
【００１２】
これにより、例えば、異常現象が生じていることや、異常現象が発生する可能性が高いことを使用者に対してより効果的に注意を喚起することが可能となる。
【００１３】
上記流量計測装置において、上記アラーム情報は、アラームの内容を一意に特定する識別コードとすることができる。
【００１４】
これにより、識別コードを認識することで異常現象を特定することが可能となる。
【００１５】
上記流量計測装置において、上記判定部によって前記アラーム要件を満たしていると判定された場合に、前記アラーム情報を外部装置に送信する送信部をさらに備えることができる。
【００１６】
これにより、外部の管理者に対しても異常現象が発生したことや、異常現象が発生する可能性が高いことを把握させることが可能となる。
【発明の効果】
【００１７】
本発明によれば、表示面積が限られた流量計測装置であっても、複数種類のアラーム情報を使用者が特定できるように報知することができる。
【発明を実施するための最良の形態】
【００１８】
以下、図面を参照して本発明の実施の形態を説明する。ただし、以下に説明する実施形態は、あくまでも例示であり、以下に明示しない種々の変形や技術の適用を排除する意図はない。すなわち、本発明は、その趣旨を逸脱しない範囲で種々変形して実施することができる。また、以下の図面の記載において、同一又は類似の部分には同一又は類似の符号を付している。ただし、図面は模式的なものであるため、具体的な寸法等は以下の説明を照らし合わせて判断するべきものである。また、図面相互間においても互いの寸法の関係や比率が異なる部分が含まれていることは勿論である。
【００１９】
図１〜図４に、本実施形態における流量計（流量計測装置）の構成例を示す。本実施形態の流量計１は、ガスおよび液体等の流体が流通する配管等の流路の一部に取り付けられ、計測対象の流体の一例であるガスの瞬時流量を検出する。また、流量計１は、検出した瞬時流量を積算してガスの使用量（積算流量）を算出することもできる。
【００２０】
例えば、流量計１は、ガスが流通する配管Ｐの一部に取り付けられて流路を形成する流路ユニット２と、流路ユニット２に取り付けられる計測ユニット３と、を備えている。計測ユニット３は、フローセンサ１２や、図７に示す制御部３０等を有する。
【００２１】
流路ユニット２は、例えば図１〜図４に示すように、略直方体形状を呈する筐体であり、ガスが流通する断面円形の管路７、管路７の途中に形成された絞り機構８、管路７の上側（計測ユニット３が取り付けられる側）であって絞り機構８を挟んで上流側および下流側の位置に形成され管路７と外部とを連通させる分岐流路９、１０等を有している。管路７の上流側および下流側には、配管Ｐが捩じ込み接続される。絞り機構８は、管路７の内径よりも小さい内径を有しており、上流側の配管Ｐから下流側の配管Ｐへと流通するガスに絞り機構８の前後で差圧を発生させるように機能する。
【００２２】
流路ユニット２の上面には、例えば図２および図４に示すように、平面視略円形状で所定深さの凹部２ａが形成されており、この凹部２ａには、計測ユニット３のバイパス流路形成部３ｂ（後述）が嵌め込まれる。絞り機構８よりも上流側に配置された分岐流路９は、ボディ内部側の小径部とボディ外部側の大径部とを備えており、計測ユニット３のバイパス流路形成部３ｂのバイパス流路３ｃ（後述）に連通接続される。絞り機構８よりも下流側に配置された分岐流路１０も同様にボディ内部側の小径部とボディ外部側の大径部とを備えており、バイパス流路３ｃに連通接続される。
【００２３】
計測ユニット３は、例えば図１〜図４に示すように、略直方体形状を呈する筐体を有しており、この筐体の側面には、給電用および各種信号送受信用のケーブルＣを接続させるためのケーブル接続部５が設けられている。また、計測ユニット３を構成する筐体の下側（流路ユニット２が取り付けられる側）には、板状部３ａが固定されている。図２に示すように、計測ユニット３の板状部３ａと、流路ユニット２に形成され相互に重ねられたネジ孔と、にネジ６が螺入されることにより、計測ユニット３が流路ユニット２に固定される。
【００２４】
計測ユニット３の板状部３ａと流路ユニット２との間には、図４に示すように、バイパス流路形成部３ｂが配置される。バイパス流路形成部３ｂは、流路ユニット２の凹部２ａに嵌め込まれるような平面視略円形状の薄型の部材であり、その下面には、流路ユニット２の分岐流路９、１０に連通接続されるバイパス流路３ｃが形成されている。流路ユニット２の上流側の管路７を流通するガスは、絞り機構８の前後の差圧によりその一部が上流側の分岐流路９を経由して計測ユニット３のバイパス流路３ｃに導かれて流入し、その後、流路ユニット２の下流側の分岐流路１０を経由して下流側の管路７にバイパス（合流）されるようになっている。主流路である管路７に流れる流量とバイパス流路３ｃに流れる流量との比率（分流比）は、計算あるいは実測によって予め特定しておく必要がある。なお、流路ユニット２の凹部２ａ内であってバイパス流路形成部３ｂの周囲には、例えば図２および図４に示すようなパッキン１１が嵌め込まれ、このパッキン１１により、計測ユニット３の板状部３ａと流路ユニット２の凹部２ａとが形成する空間の気密性を確保できる。
【００２５】
計測ユニット３の底面に固定された板状部３ａの中央部には、フローセンサ１２が設けられている。フローセンサ１２は、バイパス流路３ｃを流通するガスの流速または流量（瞬時流量）を検出する。フローセンサ１２としては、種々の構成を採用することができ、本実施形態においては、例示的に、ダイヤフラムを有する熱式流量センサを採用している。
【００２６】
フローセンサ１２は、例えば図５および図６に示すように、キャビティ２６が設けられた基板２０、基板２０上にキャビティ２６を覆うように配置された絶縁膜２５、絶縁膜２５に設けられたヒータ２１、ヒータ２１よりも上流側に設けられた上流側測温抵抗素子２２、ヒータ２１よりも下流側に設けられた下流側測温抵抗素子２３、上流側測温抵抗素子２２よりも上流側に設けられた周囲温度センサ２４等を有している。
【００２７】
絶縁膜２５のキャビティ２６を覆う部分は、熱容量が小さく、基板２０に対して断熱性を有するダイヤフラムを構成している。周囲温度センサ２４は、バイパス流路３ｃに流入してきた流体の温度を測定する。ヒータ２１は、キャビティ２６を覆う絶縁膜２５の中心に配置されており、周囲温度センサ２４が計測した流体の温度よりも一定温度（例えば１０℃）高くなるように、加熱される。上流側測温抵抗素子２２はヒータ２１より上流側の温度を検出するために用いられ、下流側測温抵抗素子２３はヒータ２１より下流側の温度を検出するために用いられる。
【００２８】
ここで、バイパス流路３ｃ中の流体が静止している場合、ヒータ２１で加えられた熱は、上流方向および下流方向へ対称的に拡散する。従って、上流側測温抵抗素子２２および下流側測温抵抗素子２３の温度は等しくなり、上流側測温抵抗素子２２および下流側測温抵抗素子２３の電気抵抗は等しくなる。これに対し、バイパス流路３ｃ中の流体が上流から下流に流れている場合、ヒータ２１で加えられた熱は、下流方向に運ばれる。従って、上流側測温抵抗素子２２の温度よりも、下流側測温抵抗素子２３の温度が高くなる。
【００２９】
そのため、上流側測温抵抗素子２２の電気抵抗と下流側測温抵抗素子２３の電気抵抗との間に差が生じる。下流側測温抵抗素子２３の電気抵抗と上流側測温抵抗素子２２の電気抵抗の差は、バイパス流路３ｃ中の流体の速度や流量と相関関係がある。そのため、下流側測温抵抗素子２３の電気抵抗と上流側測温抵抗素子２２の電気抵抗の差を基に、バイパス流路３ｃを流れる流体の速度や流量を算出できる。
【００３０】
図５および図６に示す基板２０の材料としては、シリコン(Ｓｉ)等が使用可能である。絶縁膜２５の材料としては、酸化ケイ素(ＳｉＯ2)等が使用可能である。キャビティ２６は、異方性エッチング等により形成することができる。また、ヒータ２１、上流側測温抵抗素子２２、下流側測温抵抗素子２３および周囲温度センサ２４の各材料には白金（Ｐｔ）等が使用可能であり、リソグラフィ法等により形成可能である。
【００３１】
図１〜図４に示す計測ユニット３の筐体の上側（流路ユニット２と反対側）には、表示操作パネル４が設けられている。表示操作パネル４には、表示部４ａと操作部４ｂとが設けられている。表示部４ａへの表示制御は、図７に示す制御部３０のＣＰＵ３１の制御の下に行なわれる。ＣＰＵ３１は、操作部４ｂに対するユーザの操作に応じた入力信号を受信し、当該入力信号に応じて表示部４ａに対する表示制御を行なう。なお、ＣＰＵ３１による表示制御の詳細は後述する。
【００３２】
表示部４ａは、例えば図７に示すように、各種情報を最大５桁の数字または英字で表示するデジタル表示部（７セグメントディスプレイ。以下、単に「ディスプレイ」ともいう。）４１と、操作部４ｂの操作により設定されたモードを示すモード表示灯としての積算流量モード表示灯４２および瞬時流量モード表示灯４３と、後述する所定のアラーム要件を満たしている場合に点灯させるアラーム表示灯４４（点灯部）と、を有する。
【００３３】
瞬時流量モード表示灯４３が点灯している場合には、７セグメントディスプレイ４１に表示されている情報が瞬時流量［L/min］であることを示し、積算流量モード表示灯４２が点灯している場合には、７セグメントディスプレイ４１に表示されている情報が積算流量［L］であることを示す。
【００３４】
アラーム表示灯４４が点灯している場合には、７セグメントディスプレイ４１に表示されている情報がアラームコードであることを示す。アラームコードは、使用者に報知すべきアラームの内容を一意に特定するための識別コードである。
【００３５】
なお、積算流量モード表示灯４２や瞬時流量モード表示灯４３、アラーム表示灯４４の表示部４ａにおける配置位置は任意である。図７に示すようにディスプレイ４１の横に配置してもよいし、ディスプレイ４１の下または上に配置してもよい。
【００３６】
ディスプレイ４１は、図７に示す制御部３０のＣＰＵ（中央演算処理装置）３１の制御の下、検出したガスの瞬時流量や瞬時流量の積算値を表示するほか、上記アラームコードを表示する。
【００３７】
操作部４ｂには、各種の設定や表示をするための各種操作キーが設けられている。操作部４ｂには、例えば、実行キー５１、下キー５２、上キー５３、入力キー５４等が設けられる。
【００３８】
実行キー５１は、例えば、フローセンサ１２によるガスの流量（瞬時値および／または積算値）の計測を実行（開始）させるのに用いられる。下キー５２、上キー５３は、例えば、瞬時流量モードと積算流量モードを切り替える際に用いられる。入力キー５４は、例えば、各種情報の入力に用いることができる。
【００３９】
計測ユニット３は、図７に示す制御部（電気回路）３０を有する。制御部３０は、各種電子機器を統合制御する。制御部３０は、例えば、ＣＰＵ３１、ＲＯＭ（不揮発性記憶手段、メモリ）３２、ＥＥＰＲＯＭ（不揮発性記憶手段、メモリ）３３およびＲＡＭ（揮発性記憶手段、メモリ）３４のほか、入出力インターフェース（Ｉ／Ｆ）３５、通信部３６、およびタイマ（時間計測手段）３７を有する。
【００４０】
ＲＯＭ３２は、設定操作や演算処理のためのアルゴリズムのほか各種制御プログラムが予め書き込まれている。ＥＥＰＲＯＭ３３は、不揮発性記憶手段の一例であり、記憶した情報の書き換えが可能である。なお、ＥＥＰＲＯＭ３３のほか、フラッシュメモリ、強誘電体メモリ（ＦｅＲＡＭ）等を用いることも可能である。
【００４１】
ＲＡＭ３４は、フローセンサ１２によって測定された流量データ等を一時的に保存する。Ｉ／Ｆ３５は、流量計１の外部機器との間で制御信号等の入出力を行なう。通信部３６は、流量計１の外部機器との間で情報の送受信を行なう。タイマ３７は、任意の基準時からの経過時間を計測する時間計測手段の一例である。
【００４２】
ＥＥＰＲＯＭ３３は、ＣＰＵ３１の制御の下、流量計１に対して取り外し可能に装着されており、フローセンサ１２で検出した瞬時流量に係る情報やタイマ３７で計測した経過時間に係る情報を記憶する。ＥＥＰＲＯＭ３３で記憶した情報は、例えばＩ／Ｆ３５や通信部３６を通じて外部機器に出力することができる。
【００４３】
ＣＰＵ３１は、ＥＥＰＲＯＭ３３に記憶させた各種情報（瞬時流量に係る情報やこの瞬時流量に対応する経過時間・時刻に係る情報等）や上記アラームコードを、通信部３６を介して、無線通信あるいは有線通信で流量計１の外部機器に送信することができる。外部機器には、流量計１に対する各種機能の設定や流量積算値の自動検針を行なうための携帯式端末装置等が含まれる。
【００４４】
ＣＰＵ３１は、ＲＯＭ３２内の各種制御プログラムを読み込んで、種々の情報処理や機器の制御を行なう。例えば、ＣＰＵ３１は、ユーザによる操作部４ｂの操作に応じた入力信号を受けて、ガスの瞬時流量に係る情報および経過時間に係る情報（以下、「流量−時間情報」という）の収集を開始する。例えば、流量計１が起動して情報収集をしていない状態においてユーザが実行キー５１を押すと、ＣＰＵ３１は、タイマ３７を作動させて、ユーザによる操作入力があった時点（任意の基準時）からの経過時間の計測を開始させるとともに、フローセンサ１２によるガスの瞬時流量の検出を開始させる。そして、ＣＰＵ３１は、図８および図９に例示するように、フローセンサ１２において検出されたガスの瞬時流量（Ｑ1、Ｑ2、…、ＱN-1、ＱN）と、各検出時にタイマ３７で計測された経過時間（Ｔ1、Ｔ2、…、ＴN-1、ＴN）と、を対応付けて図７に示すＥＥＰＲＯＭ３３に記憶させる。
【００４５】
フローセンサ１２における瞬時流量の検出間隔（サンプリング周期）および検出回数やタイマ３７での計測時間の周期は、流量計１の仕様や使用状況等に応じて適宜設定することができる。例えば、タイマ３７の計測周期を８００分（１３時間２０分）とし、タイマ３７がユーザによる操作入力があった時点から８００分間の時間を計測する間に、フローセンサ１２において瞬時流量を１０分間隔（サンプリング周期：１０分）で８０回検出するように設定することができる。
【００４６】
なお、ＣＰＵ３１は、分流比に関する情報を例えばＲＯＭ３２またはＥＥＰＲＯＭ３３から読み出し、当該分流比に関する情報と、フローセンサ１２の検出値（バイパス流路３ｃを流通するガスの流量）とに基づいて、図４に示す管路７（配管Ｐ）を流れる流体の流量を算出（換算）することができる。求めた値は、例えば図７に示すＥＥＰＲＯＭ３３に記憶させることができる。
【００４７】
また、ＣＰＵ３１は、ユーザによる操作部４ｂの操作に応じた入力信号を受けて、流量−時間情報の収集開始時刻を入力し、入力した情報収集開始時刻に基づいて、ＥＥＰＲＯＭ３３に記憶させた経過時間に係る情報を、時刻に係る情報に変換することができる。例えば、図９に示すように、フローセンサ１２において１０分間隔で８０回検出されたガスの瞬時流量（Ｑ1、Ｑ2、…、Ｑ79、Ｑ80）と、各検出時にタイマ３７で計測された経過時間（Ｔ1（１０分）、Ｔ2（２０分）、…、Ｔ79（７９０分）、Ｔ80（８００分））と、が対応付けられて記憶されている場合を想定する。かかる場合において、流量−時間情報の収集開始時刻（タイマ３７の作動を開始させる時刻）が「８：００」であるとすると、図７に示すＣＰＵ３１は、各経過時間（Ｔ1、Ｔ2、…、Ｔ79、Ｔ80）を時刻（８：１０、８：２０、…、２１：１０、２１：２０）に変換してＥＥＰＲＯＭ３３に記憶させる。これにより、「流量−時間情報」が「流量−時刻情報」に変換される。なお、収集開始時刻である「８：００」は、操作者が時計を見て判断し、操作部４ｂのキーを操作して入力するようにしてもよい。
【００４８】
本実施形態におけるＣＰＵ３１は、図７に示すように、判定部３１１および表示制御部３１２としての機能を有する。
【００４９】
判定部３１１は、所定のアラーム要件を満たしているか否かを判定する。アラーム要件は、アラームの内容ごとに設けられる。アラームの内容としては、例えば、フローセンサに特性劣化等の異常が発生したこと、ガスの流量が上限値を上回ったこと、ガスの流量が下限値を下回ったこと等が該当する。つまり、アラームの対象となる現象（例えば、特性や流量、継続時間等）の程度が、規定範囲を逸脱した（異常に至った）か、逸脱する可能性（異常になる可能性）が高い状況にあることが、アラームの内容として設定されることになる。
【００５０】
フローセンサに特性劣化が生じたか否かは、例えば、以下のように判定することができる。判定部３１１は、同種の複数のフローセンサでそれぞれ検出された検出値を比較して各検出値間の差を算出し、算出した差が閾値以上である場合に、フローセンサに特性劣化が生じたと判定する。
【００５１】
ガスの流量が上限値を上回ったか否か、およびガスの流量が下限値を下回ったか否かは、例えば、以下のように判定することができる。フローセンサの検出値に基づいて配管を流れるガスの流量を算出し、この算出した流量が、予め定めた上限値よりも多い場合にはガスの流量が上限値を上回ったと判定し、予め定めた下限値よりも少ない場合にはガスの流量が下限値を下回ったと判定する。
【００５２】
なお、アラーム要件を満たしているか否かの判定方法は、上記判定方法に限らず、公知の種々の判定方法（例えば、特開２００７−１９２７７５号公報、特開２００４−８５４８９号公報等を参照）を採用することができる。
【００５３】
表示制御部３１２は、操作部４ｂの操作により瞬時流量モードが設定された場合に、図１０（Ａ）に示すように、表示部４ａの瞬時流量モード表示灯４３を点灯させ、検出したガスの瞬時流量（フローセンサ１２における検出値を、配管Ｐを流通するガスの瞬時流量に変換した値）をディスプレイ４１に表示させる。
【００５４】
表示制御部３１２は、操作部４ｂの操作により積算流量モードが設定された場合に、図１０（Ｂ）に示すように、表示部４ａの積算流量モード表示灯４２を点灯させ、検出したガスの瞬時流量の積算値をディスプレイ４１に表示させる。なお、瞬時流量の積算値が６桁以上となる場合、ＣＰＵ３１は、６桁以上の上桁と５桁以下の下桁とを分けて所定時間毎に交互にディスプレイ４１に表示させることもできる。
【００５５】
瞬時流量モードと積算流量モードの設定は、下キー５２または上キー５３を押下するたびに順次切り替えることができる。
【００５６】
表示制御部３１２は、判定部３１１によっていずれかのアラーム条件を満たしていると判定された場合に、図１１に示すように、表示部４ａのアラーム表示灯４４を点灯させ、該当するアラームの内容に対応付けられたアラームコードをディスプレイ４１に表示させる。
【００５７】
アラームコードを表示させる際に、瞬時流量モードが設定されている場合には、瞬時流量とアラームコードをディスプレイ４１に交互に表示させ、ディスプレイ４１の表示に合わせて、瞬時流量モード表示灯４３とアラーム表示灯４４を交互に点灯させる。
【００５８】
アラームコードを表示させる際に、積算流量モードが設定されている場合には、積算流量とアラームコードをディスプレイ４１に交互に表示させ、ディスプレイ４１の表示に合わせて、積算流量モード表示灯４２とアラーム表示灯４４を交互に点灯させる。
【００５９】
アラームコードが表示されている際に、下キー５２または上キー５３が押下（表示切り替え指示）された場合には、上記交互表示を一時的に中断し、下キー５２または上キー５３が押下されるたびに、瞬時流量、積算流量、アラームコードを順次切り替え表示させることもできる。これにより、使用者が所望する情報を選択して確認することが可能となる。
【００６０】
上述したように、本実施形態における流量計１によれば、例えば、アラームの対象となる異常現象が発生した場合には、検出されたガスの瞬時流量や積算流量に加えて、発生した異常現象を特定することができるアラームコードを表示部４ａのディスプレイ４１に表示させることができる。したがって、使用者はアラームコードを確認することで発生した異常現象を容易に特定することができる。
【００６１】
また、瞬時流量や積算流量と、アラームコードを交互に表示させることができるため、例えば、異常現象が発生したことを使用者に一目で認識させることができる。さらに、アラームコードの表示に合わせて、表示部４ａのアラーム表示灯４４を点灯させることができるため、例えば、異常現象が発生していることを使用者により効果的に注意を喚起することができる。
【００６２】
また、アラームコードを外部機器に送信することができるため、外部の管理者に対しても異常現象が発生したことを把握させることができる。
【００６３】
なお、上述した実施形態においては、アラームの内容を示すアラーム情報としてアラームコードを用いて説明しているが、これに限定されない。例えば、アラームの内容を識別可能な文字情報や画像情報をアラーム情報として採用することができる。複数存在するアラームの内容を特定可能な情報であればよい。また、複数のアラーム条件を同時に満たしている場合には、複数のアラームコードを順次表示させることとすればよい。
【００６４】
また、上述した実施形態においては、流量検出手段の一例として熱式流量センサを採用した例を示したが、かかる熱式流量センサに代えて、他の方式（超音波式や電磁式）の流量センサを流量検出手段の一例として採用することもできる。また、本実施形態においては、本発明を気体流量計に適用した例を示したが、液体の流量を検出する流量計に本発明を適用することもできる。なお、以上の説明において用いた「上」および「下」という語は便宜的な表現であり、必ずしも重力方向に対する方向の限定を表すものではない。
【図面の簡単な説明】
【００６５】
【図１】実施形態における流量計の斜視図である。
【図２】図１の流量計の計測部を流量計ボディ部から分離させた状態を示す斜視図である。
【図３】（Ａ）は図１の流量計の正面図であり、（Ｂ）は図１の流量計の側面図（（Ａ）の矢印Ｂ方向から見た図）であり、（Ｃ）は図１の流量計の平面図（（Ａ）の矢印Ｃ方向から見た図）である。
【図４】図３（Ｂ）の流量計のＩＶ−ＩＶ部分における断面図である。
【図５】図１の流量計の計測部に設けられたフローセンサを示す斜視図である。
【図６】図５のフローセンサをＶＩ−ＶＩ方向から見た場合の断面図である。
【図７】図１の流量計の計測ユニットに設けられた制御部の機能構成を示すブロック図である。
【図８】図１の流量計によって収集された流量−時間情報を示すマップである。
【図９】図１の流量計によって収集された流量−時間情報および流量−時刻情報を示すデータテーブルである。
【図１０】図１の流量計の表示部およびこの表示部に表示された情報を示すものであって、（Ａ）は瞬時流量を表示している際の図であり、（Ｂ）は瞬時流量の積算値を表示している際の図である。
【図１１】図１の流量計の表示部およびこの表示部に表示された情報を示すものであって、アラームコードを表示している際の図である。
【符号の説明】
【００６６】
１…流量計、２…流路ユニット、３…計測ユニット、４…表示操作パネル、４ａ…表示部、４ｂ…操作部、５１〜５４…操作キー、１２…フローセンサ、３１…ＣＰＵ、３２…ＲＯＭ、３３…ＥＥＰＲＯＭ、３４…ＲＡＭ、３５…入出力インターフェース、３６…通信部、３７…タイマ、４１…デジタル表示部、４２…積算流量モード表示灯、４３…瞬時流量モード表示灯、４４…アラーム表示灯、３１１…判定部、３１２…表示制御部。
【図１】
2009115806.tif 000003
【図２】
2009115806.tif 000004
【図３】
2009115806.tif 000005
【図４】
2009115806.tif 000006
【図５】
2009115806.tif 000007
【図６】
2009115806.tif 000008
【図７】
2009115806.tif 000009
【図８】
2009115806.tif 000010
【図９】
2009115806.tif 000011
【図１０】
2009115806.tif 000012
【図１１】
2009115806.tif 000013